(57)【要約】【課題】  本発明は、フィルタの清掃といった保守作業の手間を低減して使い勝手の良好な電気掃除機を提供することを目的とする。【解決手段】  電動送風機及び集塵室を備えた掃除機本体と、前記集塵部に着脱自在に設けられた集塵部と、該集塵部に設けられた回転軸を支点として該集塵部の開口部を開閉するように回動自在に設けられたフィルタ枠と、該フィルタ枠に設けられたフィルタとを有する電気掃除機において、前記フィルタを清掃する清掃部材を設け、該清掃部材は前記フィルタ枠が前記集塵部の開口部から開くと前記回転軸から離れる方向に移動するようにした。【選択図】図７
2008272138.tif 000002
【特許請求の範囲】
【請求項１】
電動送風機及び集塵室を備えた掃除機本体と、前記集塵部に着脱自在に設けられた集塵部と、該集塵部に設けられた回転軸を支点として該集塵部の開口部を開閉するように回動自在に設けられたフィルタ枠と、該フィルタ枠に設けられたフィルタとを有する電気掃除機において、
前記フィルタを清掃する清掃部材を設け、
該清掃部材は前記フィルタ枠が前記集塵部の開口部から開くと前記回転軸から離れる方向に移動することを特徴とする電気掃除機。
【請求項２】
請求項１において、
前記回転軸は前記集塵部の下方に設けたことを特徴とする電気掃除機。
【請求項３】
請求項１または２において、
前記清掃部材は前記フィルタ枠の開放動作と連動して移動することを特徴とする電気掃除機。
【請求項４】
電動送風機及び集塵室を備えた掃除機本体と、前記集塵部に着脱自在に設けられた集塵部と、該集塵部に設けられた回転軸を支点として該集塵部の開口部を開閉するように回動自在に設けられたフィルタ枠と、該フィルタ枠に設けられたフィルタとを有する電気掃除機において、
前記フィルタ枠には前記回転軸の近傍と該回転軸の遠方側との間を前記フィルタ面に沿って往復自在に移動可能に支持された清掃枠と、前記清掃枠に設けられかつフィルタ表面を擦りながら移動する清掃部材と、前記フィルタ枠の前記回転軸まわりの回動動作と前記フィルタ清掃部材の移動動作とを連動する連動手段を設けたことを特徴とする電気掃除機。
【請求項５】
請求項４において、
前記清掃枠は前記フィルタ枠が前記集塵部に対して閉鎖されている際は前記フィルタに接しながら前記フィルタ枠の回転軸の最近傍側に位置し、前記フィルタ枠が集塵部に対して開放されている際は前記フィルタに接しながら前記フィルタ枠の回転軸の最遠方側に位置することを特徴とする電気掃除機。
【請求項６】
請求項４または５において、
前記連動手段と前記清掃枠とは、前記フィルタ枠の前記回転軸に対して前記清掃枠の最も遠方の側に設けられた清掃部材支点において互いに接続されていることを特徴とする電気掃除機。
【請求項７】
請求項６において、
前記連動手段は、前記集塵部のうち前記フィルタ枠の回動軸近傍に設けられた第一支点のまわりに回動自在に軸支された第一リンクと、前記第一リンクの前記第一支点に対する他端に設けられた第三支点と前記清掃部材支点との間を互いに回動自在に軸支された第三リンクと、前記第一リンクに設けられており前記第一支点と前記第三支点との間に設けられた第二支点と、該第二支点と前記フィルタ枠に設けられた第四支点とを接続して第二支点と第四支点において回動自在に軸支された第二リンクと、を備えていることを特徴とする電気掃除機。
【請求項８】
請求項４において、
前記連動手段は、前記フィルタ枠が前記集塵部に対して閉鎖されている際には、該集塵部内形成された連結機構収納部に収納されることを特徴とする電気掃除機。
【発明の詳細な説明】
【技術分野】
【０００１】
本発明は、電気掃除機に関する。
【背景技術】
【０００２】
従来の掃除機は、例えば特許文献１（特開２００５−２６１５１８号公報）に開示されているようなものがある。この特許文献１には、掃除機本体１２のダストカップ室１３にダストカップ２０を着脱自在に設けたことが開示されている。ダストカップ２０には、カップ容器本体２３と、このカップ容器本体２３内に設けられた二次フィルタ２４と、この二次フィルタ２４の下流側でカップ容器本体２３の開口部に着脱自在に装着されるプリーツフィルタ体３０とが備えられている。
【０００３】
ダストカップ２０に流入した塵埃は、まず二次フィルタ２４で捕集され、二次フィルタ２４を通過した微細な塵埃がプリーツフィルタ体３０で捕集される。カップ容器本体２３の底部には底蓋２７が開閉可能に設けられており、二次フィルタ２４及びプリーツフィルタ体３０で捕集された塵埃が底蓋２７を開くことにより、カップ容器本体２３から排出される。
【０００４】
また、プリーツフィルタ体３０には、フィルタの表面に沿って移動するブラシ４０と、このブラシ４０を動作させるツマミ１３４Ａが設けられており、ダストカップ２０を掃除機本体１２のダストカップ室１３から引き出す際、ツマミ１３４Ａを掃除機本体１２の格子に形成した突起部１６Ａに接触させることにより、ブラシ４０を移動させて塵埃を除去するようにしている。
【０００５】
【特許文献１】特開２００５−２６１５１８号公報
【発明の開示】
【発明が解決しようとする課題】
【０００６】
しかしながら、上記特許文献１においては、ダストカップ２０内の塵埃が排出される前、すなわちダストカップ２０内に塵埃が収容された状態でブラシ４０を移動させてプリーツフィルタ体３０に付着した塵埃を除去するようにしているので、ダストカップ２０を掃除機本体１２から取り出し、使用者がダストカップ２０を持って塵埃を排出する場所へ移動する際、ダストカップ２０が振られることにより塵埃が舞い上がり、除去した塵埃がプリーツフィルタ体３０に再付着する問題があった。
【０００７】
また、二次フィルタ２４については清掃する手段がないので、使用者は塵埃を排出する際二次フィルタ２４に付着した塵埃を除去しなければならなかった。このため、使用者はフィルタの清掃といった保守作業を強いられ、煩わしく使い勝手の悪いものであった。
【０００８】
本発明の目的は、フィルタの清掃といった保守作業の手間を低減して使い勝手の良好な電気掃除機を提供することにある。
【課題を解決するための手段】
【０００９】
上記目的を達成するために本発明の特徴とするところは、電動送風機及び集塵室を備えた掃除機本体と、前記集塵部に着脱自在に設けられた集塵部と、該集塵部に設けられた回転軸を支点として該集塵部の開口部を開閉するように回動自在に設けられたフィルタ枠と、該フィルタ枠に設けられたフィルタとを有する電気掃除機において、前記フィルタを清掃する清掃部材を設け、該清掃部材は前記フィルタ枠が前記集塵部の開口部から開くと前記回転軸から離れる方向に移動することにある。
【００１０】
また、本発明の特徴とするところは、電動送風機及び集塵室を備えた掃除機本体と、前記集塵部に着脱自在に設けられた集塵部と、該集塵部に設けられた回転軸を支点として該集塵部の開口部を開閉するように回動自在に設けられたフィルタ枠と、該フィルタ枠に設けられたフィルタとを有する電気掃除機において、前記フィルタ枠には前記回転軸の近傍と該回転軸の遠方側との間を前記フィルタ面に沿って往復自在に移動可能に支持された清掃枠と、前記清掃枠に設けられかつフィルタ表面を擦りながら移動する清掃部材と、前記フィルタ枠の前記回転軸まわりの回動動作と前記フィルタ清掃部材の移動動作とを連動する連動手段を設けたことにある。
【発明の効果】
【００１１】
本発明によれば、フィルタの清掃といった保守作業軽減でき、使い勝手のよい電気掃除機を提供することができる。
【００１２】
清掃部材はフィルタ枠が集塵部の開口部から開くと、フィルタ枠の回転軸から離れる方向に移動するので、清掃部材は集塵部から塵埃を排出する方向に移動し、塵埃を排出する際清掃部材で清掃されたフィルタ面への塵埃の再付着を防止することができる。
【発明を実施するための最良の形態】
【００１３】
以下、本発明の実施例を図面に基づいて説明する。
【実施例１】
【００１４】
図１は本発明の実施例に係る電気掃除機の外観斜視図、図２は掃除機本体の上蓋を開いた状態を示す斜視図、図３は掃除機本体の上蓋を開いて集塵部１０３を取り外した状態を示す斜視図である。図４は掃除機本体内の空気の流れを示す模式図である。図５は集塵部１０３の外観斜視図である。図６は集塵部１０３を下流側から見た外観斜視図である。図７は、集塵ケース１０５からフィルタ枠１４０（第一のフィルタ枠）とフィルタ枠１６３（第二のフィルタ枠）の両者を一緒に開いた外観斜視図である。図８は集塵部１０３を上方から見た平面図、図９は図８におけるＡ−Ａ断面図である。
【００１５】
図１において、１は電動送風機及び集塵室等を備えた掃除機本体、２は一端が接続管２ａを介して掃除機本体のホース接続口部１１６（図２）に接続されたホース、３は一端がホース２の他端と接続され、電動送風機等を制御するスイッチ３ａを備えた手元操作部、４は一端が手元操作部３の他端に接続された伸縮自在な延長管、５は延長管４の他端に接続され、掃除面の塵埃を吸い込む吸口である。
【００１６】
図２及び図３において、１００は上方に向かって開口した集塵室、１０２は掃除機本体１に開閉自在に設けられ集塵室１００を覆う上蓋である。１０３は集塵室１００から着脱自在に設けられた集塵部である。集塵部１０３は、図２に示すように上蓋１０２を開放した状態において、集塵部１０３の上部に設けられた把手１２３を手に持ち図示上方に持ち上げることによって掃除機本体１の集塵室１００から外して取り出すことができる。集塵部１０３を図２に示したように掃除機本体１にセットした際には、集塵部１０３に設けられたフィルタ枠１６３と一体で設けられた弾性シール部１７２によって、集塵部１０３とフィルタケース１１３との間の気密が保たれる構成としている。
【００１７】
下ケース１０１には、掃除機本体１が床面を走行するための走行車輪１８０と、図示しない案内車輪とが回転自在に配置されている。上ケース１５０の上部にはハンドル１７９が回動自在に設けられており、掃除機本体１を持ち運ぶことができる。
【００１８】
図３は集塵室１００から集塵部１０３を取り出した後の状態を示す図である。図３において、下ケース１０１と上ケース１５０との間にはフィルタケース１１３が設けられており、このフィルタケース１１３に補助フィルタ１１２と、この補助フィルタ１１２を押さえるフィルタカバー１１３ａが設けられている。フィルタケース１１３の下流側、すなわち図２ないし図３において図示右奥側には電動送風機１０７（図４）と、電動送風機１０７への電力を供給するために電源コードを巻き回して収納する図示しないコードリールが配置されている。
【００１９】
さらにフィルタケース１１３の上側には除塵手段１６４を設けている。除塵手段１６４の設けられた除塵ばね１７０が回転して、第二のフィルタ１６１のひだを弾いて振動を与え、第二のフィルタ１６１に蓄積した塵埃を除塵する構成である。
【００２０】
集塵室１００に集塵部１０３を装着した状態においては、集塵部１０３に設けられた分離室１０４への流入部１１５と、ホース接続口部１１６とは弾性体部材を介して気密状態で当接し、さらに集塵ケース１０５とフィルタ枠１４０とが気密状態で当接し、さらにフィルタ枠１４０とフィルタ枠１６３とが気密状態に当接し、さらにフィルタ枠１６３とフィルタケース１１３とが気密状態に当接し、さらにフィルタケース１１３と電動送風機１０７とが気密状態に当接している。フィルタ枠１４０は集塵部１０３の集塵ケース１０５開口部１０３ａを開閉するように集塵ケース１０５に設けられた回転軸１４３を支点として回動自在に設けられている。
【００２１】
そして、手元操作部３のスイッチ３ａを操作すると、電動送風機１０７（図４参照）によって生じる空気流により、吸口５から空気を吸引して空気と共に被掃除面の塵埃を吸引して、吸口５から延長管４，手元操作部３，ホース２，接続管２ａを介してホース接続口部１１６を通って掃除機本体１の内部に吸引される。塵埃を含んだ含塵空気は掃除機本体１の集塵室１００に着脱可能に設けられた集塵部１０３に導かれ、塵埃を分離捕捉した後に空気を掃除機本体１の外部に排出する。
【００２２】
ここで、本実施例に適用した遠心分離を利用したサイクロン方式について構成と動作について説明する。集塵ケース１０５は、分離室１０４と第一塵埃収容部１０５ａと第二塵埃収容部１０５ｂとを備えており、集塵部１０３は前記集塵ケース１０５とフィルタとを備えている。
【００２３】
図４に示すように、含塵空気を流入部１１５から分離室１０４に流し入れて、下側から上側に旋回させることで遠心分離作用により塵埃を空気から分離して、分離室１０４の上部に配した第一連通口１１７を通して第一塵埃収容部１０５ａに塵埃を搬送する。第一塵埃収容部１０５ａに流入した空気流は、第二排気口１４６を通ってフィルタＢ１０６ｂで塵埃を濾過した後に排気される。分離室１０４に流入した空気の一部と、第一塵埃収容部１０５ａに搬送されなかった塵埃の一部は、分離室１０４の上部に設けられた第二連通口１１８を通して第二塵埃収容部１０５ｂに搬送される。第二塵埃収容部１０５ｂに流入した空気流は、第三排気口１４７を通過してフィルタＣ１０６ｃで塵埃を濾過した後に排気される。
【００２４】
さらに、分離室１０４において、第一塵埃収容部１０５ａにも第二塵埃収容部１０５ｂのいずれにも搬送されなかった細かくて軽い塵埃と、分離室１０４に流入した空気の一部は、分離室１０４の上部で反転して下降し、内筒１３１の外周に設けられた排気穴１３３を通り、連絡口１２０，連絡通路１４５，第一排気口１４４を通ってフィルタＡ１０６ａでさらに塵埃を濾過してから排気される。すなわち、流入部１１５から吸気された空気流は分離室１０４において分流し、第一のフィルタ１０６となるフィルタＡ１０６ａ，フィルタＢ１０６ｂ，フィルタＣ１０６ｃを通過した後、合流して第二のフィルタ１６１において微細塵を集塵されて濾過された後に、さらに補助フィルタ１１２を通過した後、電動送風機１０７に吸引され、フィルタ１０８を介した後に機外に排出される。
【００２５】
次に集塵部１０３の構成について説明する。分離室１０４で遠心分離された塵埃は第一連通口１１７を通して分離室１０４から排出されるが、その際の空気流の方向は分離室１０４内における空気流の旋回方向であって、かつ円筒形状をなす分離室１０４の接線方向となる。そのため、本実施例においては分離室１０４の第一連通口１１７を前記集塵ケース１０５に当接したフィルタＢ１０６ｂから最も遠方となる掃除機本体１の前面側（ホース接続口部１１６側）の近傍に配置することができる。ここで、分離室１０４において遠心分離された塵埃は、第一塵埃収容部１０５ａ内ではフィルタＢ１０６ｂの近傍から第一連通口１１７側へと順次堆積していくので、第一塵埃収容部１０５ａがほぼ満杯になるまでは塵埃が前記第一連通口１１７を塞ぎにくい位置関係となる。すなわち、前記第一塵埃収容部１０５ａの容積を有効に利用して、多量の塵埃を集積することができる。
【００２６】
第二塵埃収容部１０５ｂは分離室１０４と第二のフィルタ１６１との間に位置し、第二連通口１１８は第二塵埃収容部１０５ｂにおいて第二のフィルタ１６１から最も離れた位置に配置されている。そのため、本実施例においては分離室１０４の第二の連通口１１８を前記集塵ケース１０５に当接したフィルタＣ１０６ｃから最も遠方となる掃除機本体１の前面側（ホース接続口部１１６側）の近傍に配置することができる。ここで、分離室１０４において遠心分離された塵埃は、第二塵埃収容部１０５ｂ内ではフィルタＣ１０６ｃの近傍から第二連通口１１８側へと順次堆積していくので、第二塵埃収容部１０５ｂがほぼ満杯になるまでは塵埃が第二連通口１１８を塞ぎにくい位置関係となる。
【００２７】
ここで、第一のフィルタ１０６であるフィルタＡ１０６ａ，フィルタＢ１０６ｂ，フィルタＣ１０６ｃはメッシュ状の網フィルタ，金網，微小な穴を有する金属板，微小な穴を有するプラスチック板などで構成されている。塵埃を含んだ含塵空気は分離室１０４の第一連通口１１７から第一塵埃収容部１０５ａに侵入し、フィルタＢ１０６ｂにおいて空気中の比較的大きな塵埃をせき止めてフィルタＢ１０６ｂの手前から堆積していく。フィルタＢ１０６ｂを通過したより細かい塵埃は第二のフィルタ１６１で捕捉され集塵される。
【００２８】
また、分離室１０４の第二連通口１１８から第二塵埃収容部１０５ｂに流入した塵埃は、フィルタＣ１０６ｃで比較的大きな塵埃がせき止められて堆積する。フィルタＣ１０６ｃを通過した細かい塵埃は第二のフィルタ１６１により集塵される。
【００２９】
内筒１３１の排気穴１３３を通じて第一排気口１４４を通過する空気に含まれる微細な塵埃はフィルタＡ１０６ａにより集塵される。フィルタＡ１０６ａを通過した細かい塵埃は第二のフィルタ１６１により集塵される。補助フィルタ１１２は、誤って集塵部１０３を装着しないで掃除機本体１を運転した場合に電動送風機１０７に塵埃が吸入されないように作用する。
【００３０】
分離室１０４の外筒１３５には、空気取り入れ口である流入部１１５が、この分離室１０４の中心軸長さ方向の中央より下部に設けられ、略円筒状をなす分離室１０４の略接線方向に空気が流入するように配置されており、分離室１０４の中央より上部に第一連通口１１７と第二連通口１１８とが設けられている。分離室１０４の下部には内筒１３１が設けられ、下部の連絡口に繋がっている。内筒１３１は筒部１３４と、この筒部１３４に螺旋状に巻きついた隔壁１３２と、隔壁１３２の外周側に配置した外壁１３９を備えている。隔壁は、流入部１１５から流入した含塵空気流を上昇しやすくする作用をする。
【００３１】
ここで、前記内筒１３１の隔壁１３２は、分離室１０４内の空気の流れを上方に持ち上げるように螺旋状に上方に持ち上がっている。そのため、流入部１１５から分離室１０４に流入した塵埃は、この螺旋状の隔壁１３２に沿って上昇するとともに前記分離室１０４内を旋回して遠心分離され、第一連通口１７を通って集塵ケース１０５へと搬送される。
【００３２】
フィルタＡ１０６ａ，フィルタＢ１０６ｂ，フィルタＣ１０６ｃは共通の蓋体であるフィルタ枠１４０に区画されて形成されている。第二フィルタ１６１はフィルタ枠１６３に設けられている。図６に示すように、フィルタ枠１４０（第一のフィルタ枠）とフィルタ枠１６３（第二のフィルタ枠）で集塵ケース１０５の開口部を閉じた状態においては、フィルタ枠１４０とフィルタ枠１６３は当接し、フィルタ枠１６３に設けられた第二フィルタ１６１は、フィルタ枠１４０内に収納され、その周囲がフィルタ枠１４０で覆われている。
【００３３】
集塵ケース１０５内の塵埃を廃棄する際には、まず上蓋１０２を上に開き、この状態で集塵ケース１０５の上部の把手１２３を持って、集塵ケース１０５を集塵室１００から取り出す。ユーザは掃除機本体１から集塵ケース１０５を取り出した後、ボタン１４２を押して集塵ケース１０５からフィルタ枠１４０（第一のフィルタ枠）とフィルタ枠１６３（第二のフィルタ枠）の両者を一緒に開いて集塵ケース１０５内の第一塵埃収容部１０５ａと第二塵埃収容部１０５ｂに溜まった塵埃を廃棄する。図６と図７に示すように、フィルタ枠１４０は集塵部１０３の下部に設けられた回転軸１４３を中心として回動自在に設けられており、フィルタ枠１４０が閉じられたときには集塵ケース１０５とフィルタ枠１４０は気密状態を保って当接している。フィルタＡ１０６ａ，フィルタＢ１０６ｂ，フィルタＣ１０６ｃの下流側にはフィルタ枠１６３が設けられ、フィルタ枠１６３はフィルタ枠１４０に設けられた回転軸１４３と同心軸で回動可能に設けられている。フィルタ枠１４０とフィルタ枠１６３とが閉じられた際には、この両者は気密状態を保って当接しており、係止部１４２ａと係合部１６３ａとが係止してフィルタ枠１４０を閉止状態に保つ構成である。
【００３４】
フィルタ枠１６３の上方には把手１２３近傍にボタン１４２が設けられ、このボタン１４２を押すことにより係止部１４２ａが押され、この係止部１４２ａとフィルタ枠１６３に設けられている係合部１６３ａとの係止が開放され、フィルタ枠１４０とフィルタ枠１６３とが開放されてごみ捨てが可能になる。
【００３５】
図９は、集塵ケース１０５からフィルタ枠１４０とフィルタ枠１６３の両者を一緒に開いて、集塵部１０３の内部に収容された塵埃を廃棄する操作を示す断面図である。図９においてはフィルタ枠１４０を開放した状態を破線により示しており、符番には′（ダッシュ）を付して示すものとする。
【００３６】
本実施例においては、フィルタＢ１０６ｂに接して集塵ケース１０５の側に、フィルタＢ１０６ｂに沿って回転軸１４３の近傍から回転軸１４３の最遠方まで移動可能に支持された清掃部材１８７を設けたものである。前記清掃部材１８７は、例えばブラシのように植毛された構成であって、フィルタＢ１０６ｂの表面を擦ることによってフィルタＢ１０６ｂの表面に付着した塵埃を掻き落す作用をする。清掃部材１８７が移動する方向は、集塵ケース１０５からフィルタ枠１４０とフィルタ枠１６３の両者を開いた際、塵埃が廃棄される方向となる。すなわち、この方向は回転軸１４３から離れる方向となる。
【００３７】
本実施例では、集塵ケース１０５に設けられた回転軸１４３を支点として回動自在に、かつ集塵ケース１０５の開口部１０３ａを開閉するようにフィルタ枠を１４０、フィルタ枠１６３を設け、フィルタ枠１４０に設けられたフィルタＢ１０６ｂを清掃する清掃部材１８７を設け、この清掃部材１８７はフィルタ枠１４０が集塵ケース１０５の開口部１０３ａから開くと回転軸１４３から離れる方向に移動するので、フィルタの清掃といった保守作業軽減でき、使い勝手のよい電気掃除機を提供することができる。
【００３８】
清掃枠１８６はフィルタＢ１０６ｂに対して鉛直な方向からみた時には例えば四角形の枠の形状をしており、その長辺は回転軸１４３に対して平行な方向であって、その長さはフィルタＢ１０６ｂの全幅に略等しく、他方短辺方向はフィルタＢ１０６ｂに平行かつ回転軸１４３に対して垂直な方向であり、清掃枠１８６はその短辺方向すなわち矢印Ｅ方向にスライド可能に支持されている。清掃枠１８６のうち、長辺方向、すなわちフィルタＢ１０６ｂの全幅に略等しくかつ回転軸１４３に対して平行な方向には、フィルタＢ１０６ｂと接する部分に清掃部材１８７が配置されている。清掃部材１８７とフィルタＢ１０６ｂとは両端も中央も均一に接することが望ましく、そのために例えば清掃枠１８６の長辺を湾曲させて、長辺の中央部分を両端部分と比べてフィルタＢ１０６ｂの方向に凸させることで、清掃枠１８６が撓んでも中央部分がフィルタＢ１０６ｂから浮き上がることがないので好適である。
【００３９】
フィルタ枠１４０の清掃枠１８６の短辺がスライドする部分においては、例えばコの字形状の断面を備えた案内体であるガイドレール１８１（図７）がフィルタ枠１４０の側面に沿って配置され、そのガイドレール１８１に清掃枠１８６の短辺が摺動可能に勘合されるよう構成することで、清掃枠１８６はフィルタ枠１４０に沿ってその短辺に沿って移動可能に支持されている。
【００４０】
図１０から図１４に示すように、清掃枠１８６の長辺の両端には連結機構支点２０９が備えられており、前記連結機構支点２０９には後述する連結機構１８５の一端が接続される構成となっており、連結機構１８５の他端は集塵ケース１０５のフィルタ１０６近傍に設けられた連結機構支点２０９において回転自在に支持されている。前記集塵ケース１０５内側の連結機構支点２０９の近傍においては隔壁１８３を備えており、前記隔壁１８３と集塵ケース１０５とによって囲まれた空間には前記フィルタ枠１４０およびフィルタ枠１６３とを閉じた際には前記連結機構１８５を収納することができ、かつ隔壁１８３とフィルタ枠１４０とは気密をもって閉鎖できる空間である連結機構収容部１８２を形成する構成としている。
【００４１】
図６に示すようにフィルタ枠１４０とフィルタ枠１６３とが閉鎖された際には、前記清掃枠１８６は短辺の方向にガイドレール１８１に沿って回転軸１４３に近接する方向に移動した状態となっており、この状態で集塵部１０３は掃除機本体１にセットされ、吸口５から吸い込まれた塵埃は集塵ケース１０５のフィルタ１０６の上流側に収納される。
【００４２】
集塵ケース１０５の内部に集積した塵埃を廃棄する際には、集塵部１０３を掃除機本体１の集塵室１００から取り出した後、ボタン１４２を押して係止部１４２ａと係合部１６３ａとの間の係合を解除して、フィルタ枠１４０とフィルタ枠１６３とを回転軸１４３のまわりに矢印Ｆ方向（図７）に回動させて塵埃ケース１０５から開放し、開口した塵埃ケース１０５から塵埃を落下させて廃棄する。
【００４３】
フィルタ枠１４０とフィルタ枠１６３とを回転軸１４３のまわりに矢印Ｆ方向（図７及び図９）に回動させて塵埃ケース１０５から開放させると、フィルタ枠１４０の開き角度が増大するのに伴って、清掃枠１８６は後述する連結機構１８５から連結機構支点２０９を介して矢印Ｅ方向への力を受け、清掃枠１８６はガイドレール１８１によってフィルタ枠１４０に沿って移動可能に支持されているので、清掃枠１８６に備えられた清掃部材１８７がフィルタ１０６の表面を擦りながら矢印Ｅ方向に移動する。すなわち、清掃部材１８７はフィルタ枠１４０が開放されるのに連動して回転軸１４３の最近傍から最遠方の側まで移動する構成である。
【００４４】
ここで、塵埃１８８を重力を利用して落下させて廃棄する際には図９に示すようにフィルタ枠１４０を下側に向けた状態でボタン１４２を押してフィルタ枠１４０を開放すると、開口部、すなわちフィルタ枠１４０が下側を向くので、フィルタ枠１４０が開放された際には塵埃１８８が重力方向すなわち矢印Ｇ方向の自重によって落下しやすくなって好適である。ここで、フィルタ１０６の表面に塵埃１８８の一部は付着しており、フィルタ枠１４０を開放しただけでは落下しにくいものもある。フィルタ枠１４０が矢印Ｆ方向に開放されるとともに清掃枠１８６は矢印Ｅ方向に移動するので、図９に示すようにフィルタ枠１４０が開放された状態ではＥ方向はほぼ上方から下方にフィルタ１０６の表面を擦ることになる。塵埃１８８はフィルタ１０６から清掃部材１８７によって掻き落されながら清掃部材１８７の進行方向の縁に蓄積するが、清掃部材１８７の進行方向は重力方向となっているので、蓄積した塵埃１８８は自重により落下しやすくなり、矢印Ｊまたは矢印Ｋのごとくに落下する。すなわち、清掃部材１８７がフィルタ１０６表面から擦りながら引き剥がした塵埃１８８は、集塵ケース１０５内部に蓄積されていた塵埃１８８と一緒になって落下するので、ゴミ捨てが一度に完了するのでユーザの使い勝手が良好な掃除機を提供できる。
【００４５】
次に、フィルタ枠１４０およびフィルタ枠１６３を、係止部１４２ａの係止を解除して回転軸１４３のまわりに開放した際に、フィルタ枠１６３を開く開放動作と清掃枠１８６を回転軸１４３の近傍から遠方まで移動するスライド動作とを連動する連結機構１８５の構成の一例について図１０から図１４により説明する。
【００４６】
図１０から図１４においては、フィルタ枠１６３や除塵機能に係る遠心分離機構などの空気流路に関しては省略して図示している。
【００４７】
図１０はフィルタ枠１４０を閉鎖した場合を示す断面図、図１１と図１２はフィルタ枠１４０が開閉の途中状態を示す断面図および斜視図、図１３と図１４はフィルタ枠１４０が開放された状態を示す断面図および斜視図である。
【００４８】
連結機構１８５を構成する第一リンク２０１は一端を集塵部１０３の回転軸１４３近傍に設けられた第一支点２０４のまわりに回動自在に軸支されており、他端は第三支点２０７となっており、第三リンク２０３との間で回動自在に軸支されている。第三リンクの他端は清掃枠１８６に設けられた連結機構支点２０９において回転自在に軸支されている。第二のリンク２０２の一端は第一リンク２０１の第一支点２０４と第三支点２０７との間に設けられている第二支点２０６であり、第二リンク２０２は第二支点において、第一リンク２０１との間で回転自在に軸支されている。第二リンク２０２の他端は第四支点２０８であって、第四支点２０８はフィルタ枠１４０に設けられており、第二リンク２０２は第四支点２０８のまわりに回動自在に軸支されている。
【００４９】
連結機構支点２０９は、清掃枠１８６の回転軸１４３からは最も遠方の一端に設けられている。図１０に示したようにフィルタ枠１４０が閉鎖された状態においては、連結機構１８５は隔壁１８３と集塵ケース１０５との間に形成された連結機構収容部１８２に収容されており、集塵ケース１０５からは気密をもって分離されており、集塵ケース１０５内部の塵埃が連結機構収容部１８２には侵入しないので連結機構１８５の周囲に蓄積することのない構成としている。清掃部材１８７は清掃枠１８６に本実施例では２箇所に設けられており、回転軸１４３の近傍にある清掃部材１８７Ａと、回転軸１４３から遠方であって連結機構支点２０９の近傍にある清掃部材１８７Ｂと、が設けられている。フィルタ枠１４０が閉鎖された状態においては、清掃部材１８７Ａはフィルタ枠１４０に設けられたフィルタ１０６の最も回転軸１４３の近傍の位置にある。ここで、フィルタ枠１４０が回転軸１４３のまわりに矢印２１０の方向（開放する方向）に移動したとすると、第四支点２０８はフィルタ枠１４０に設けられているので回転軸１４３のまわりに矢印２１１方向に移動する。第二リンク２０２は一端を第四支点２０８に軸支されているので矢印２１２方向に移動し、第二リンク２０２の他端は第二支点２０６において第一リンク２０１に回転自在に軸支されているので、第一リンク２０１を矢印２１５方向に第一支点２０４のまわりに回動させるよう移動する。第一リンク２０１と第三リンク２０３とは第三支点２０７において互いに回動自在に軸支されているので、第三リンク２０３は矢印２１３方向に移動する。ここで、第二支点２０６は第一支点２０４と第三支点２０７との間に設けられているので、第一リンク２０１が第一支点２０４のまわりに回動した場合の第二支点２０６の矢印２１２方向への移動量よりも第三支点２０７の矢印２１３方向への移動量の方が大となる。
【００５０】
第三リンク２０３の第三支点２０７の他端は清掃枠１８６との間で回転自在に軸支されており、第三リンク２０３が矢印２１３方向に移動すると清掃枠１８６はフィルタ枠１４０に対してガイドレール１８１に沿って矢印２１４方向にスライド自在に支持されているので、清掃枠１８６は第三リンク２０３によって矢印２１４方向に移動する。
【００５１】
ここで、第三リンク２０３から清掃枠１８６が受ける力は矢印２１３の方向なので、清掃枠１８６と第三リンク２０３との間のなす角度θがより大であって９０°に近づくと矢印２１４方向への分力が小さくなって清掃枠１８６を矢印２１４方向に移動しづらくなる。角度θが小さければ、反対に矢印２１４方向への分力が大きくなって清掃枠１８６は矢印２１４方向に移動し易くなるので、角度θは小さい方が望ましい。そのような角度θを実現するには連結機構支点２０９を回転軸１４３から離れた位置に設けるのが望ましい。すなわち、連結機構支点２０９は回転軸１４３から遠方の清掃部材１８７Ｂの近傍に設けるのが望ましい。
【００５２】
図１１及び図１２は、フィルタ枠１４０が閉じられた状態（図１０）から開放された状態に至るまでの途中状態を示したもので、使用者が集塵ケース１０５内に集塵された塵埃を捨てようとしている際の動作途中を示している。ここで、フィルタ枠１４０が開放されるに伴って清掃枠１８６は連結機構支点２０９を介して第三リンク２０３から受ける矢印２１３方向の力によって矢印２１４方向、すなわち回転軸１４３から遠方に向かって移動する。図１１の状態においては、清掃枠１８６は図１０の状態と比べて矢印２１６に相当するだけ移動した状態となっている。
【００５３】
ところで清掃枠１８６には清掃部材１８７Ａと清掃部材１８７Ｂとがフィルタ１０６に接して設けられているので、清掃枠１８６の移動とともに清掃部材１８７Ａと清掃部材１８７Ｂとはフィルタ面を擦りながら移動するのでフィルタ１０６面に付着した塵埃を掻き落す作用をする。
【００５４】
図１３と図１４はフィルタ枠１４０が全開の状態を示したもので、清掃枠１８６は連結機構支点２０９を介して第三リンク２０３によって矢印２１４方向にさらに押され、清掃部材１８７Ｂはフィルタ１０６の回転軸１４３から最遠方の辺の近傍にまで至っている。フィルタ１０６の表面の全面は清掃部材１８７Ａまたは清掃部材１８７Ｂのいずれかによって擦られるので、フィルタ１０６表面に付着した塵埃は清掃部材１８７によって擦られて掻き落されるので塵埃がフィルタ１０６の表面に残留しないので好適である。
【００５５】
上記のごとく、清掃部材１８７Ａないし清掃部材１８７Ｂのいずれかがフィルタ１０６の表面全面を擦るには、清掃部材１８７Ａと清掃部材１８７Ｂとの距離をＬ１、図１０に示した全閉状態から図１３ないし図１４に示した全開状態に至るまでの連結機構支点２０９の移動量Ｌ２が、Ｌ２＞Ｌ１なるように構成すればよく、図１３ないし図１４において集塵部１０３のうちフィルタ枠１４０を開放した面を下側にしてゴミ捨て動作をしたときの状態を既に図９に示しているが、フィルタ枠１４０の開放動作に連動して清掃部材１８７がフィルタ１０６の全面を擦って塵埃を掻き出すことができ、そのときの清掃部材１８７の移動方向は重力によって塵埃が落下する方向と略一致していて塵埃が落下し易いので、ゴミ捨てに係る使用者の負担を低減してゴミ捨てしやすい掃除機を提供できる。
【００５６】
ゴミ捨てが終了したらフィルタ枠１４０を図１３の状態から閉じてフィルタ枠１４０を閉じる。フィルタ枠１４０が徐々に閉じられると、それに伴い清掃枠１８６は順次回転軸１４３に近接するよう移動して図１１の状態を経由して図１０の状態となったり、回転軸１４３の最近傍に移動する。ゴミ捨ての際に、フィルタ枠１４０の開閉動作を複数回繰り返すと、フィルタ１０６に付着した塵埃がさらに落下するのでフィルタ１０６の清掃が容易である。
【００５７】
本実施例によれば、フィルタ枠１４０を回転軸１４３の周りに回動させて開放する動作と連動して、清掃部材１８７をフィルタに沿って移動させてフィルタ１０６の表面を擦ってフィルタ１０６に付着した塵埃を掻き落すことができる構成である。清掃部材１８７がフィルタに沿って移動する動作はフィルタ枠１４０の開閉動作と連動しているので、例えばブラシなどの別の清掃具をフィルタに沿って移動させるといった別の手間がかからないので、フィルタ清掃の容易な掃除機が提供できる、という効果がある。
【００５８】
またさらに、清掃部材１８７の移動方向は重力によって塵埃が落下する方向と略一致していて塵埃１８８が落下し易いという効果があり、ゴミ捨ての際にフィルタ１０６に付着した塵埃１８８の量を低減することができるので、ゴミ捨てに係る使用者の負担を低減してゴミ捨てしやすい掃除機を提供できる、という効果がある。
【００５９】
またさらに、清掃部材１８７を設けた清掃枠１８６はフィルタ枠１４０の回転軸１４３まわりの回動動作に連動して動作するので、モータなどの特別な動力を必要とせず、フィルタ枠１４０の自重によって回動することができるので、構成が簡素である。
【図面の簡単な説明】
【００６０】
【図１】本発明の一実施例における電気掃除機の構成を示す斜視図である。
【図２】図１に示した電気掃除機における掃除機本体の上蓋を開いた状態を示す斜視図である。
【図３】図１に示した電気掃除機における掃除機本体内の上蓋を開いて、集塵部１０３を取り外した状態を示す斜視図である。
【図４】掃除機本体内の空気の流れを示す模式図である。
【図５】集塵部１０３の外観斜視図である。
【図６】集塵部１０３を下流側から見た外観斜視図である。
【図７】集塵ケース１０５からフィルタ枠１４０とフィルタ枠１６３の両者を一緒に開いた外観斜視図である。
【図８】集塵部１０３の横断面図である。
【図９】図８のＡ−Ａ断面図である。
【図１０】フィルタ枠１４０が閉鎖された状態での連結機構の構成を示す断面図である。
【図１１】フィルタ枠１４０が開放される途中状態での連結機構の構成を示す断面図である。
【図１２】フィルタ枠１４０が開放される途中状態での連結機構の構成を示す斜視図である。
【図１３】フィルタ枠１４０が全開状態での連結機構の構成を示す断面図である。
【図１４】フィルタ枠１４０が全開状態での連結機構の構成を示す斜視図である。
【符号の説明】
【００６１】
１  掃除機本体
２  ホース
２ａ  接続管
３  手元操作部
４  延長管
５  吸口
１０１  下ケース
１０２  上蓋
１０３  集塵部
１０４  分離室
１０５  集塵ケース
１０５ａ  第一塵埃収容部
１０５ｂ  第二塵埃収容部
１０６ａ  フィルタＡ
１０６ｂ  フィルタＢ
１０６ｃ  フィルタＣ
１０７  電動送風機
１０８  フィルタ
１０９ａ  壁Ａ
１０９ｂ  壁Ｂ
１０９ｃ  壁Ｃ
１１２  補助フィルタ
１１３  フィルタケース
１１３ａ  フィルタカバー
１１５  流入部
１１５ａ  流入部１１５の分離室側端部
１１６  ホース接続口部
１１７  第一連通口
１１８  第二連通口
１１９  円弧状壁
１２０  連絡口
１２３  把手
１３１  内筒
１３２，１８３  隔壁
１３３  排気穴
１３４  筒部
１３５  外筒
１３７  案内壁
１３７ａ  変曲部
１３８  巻き開始位置
１３９  外壁
１４０  フィルタ枠
１４０ａ  弾性体シールＡ
１４０ｂ  弾性体シールＢ
１４０ｃ  弾性体シールＣ
１４０ｄ  弾性体シールＤ
１４２，１５２ａ  ボタン
１４２ａ  係止部
１４３  回転軸
１４４  第一排気口
１４５  連絡通路
１４６  第二排気口
１４７  第三排気口
１５０  上ケース
１５１，１５３  弾性シール部材
１５２  内筒キャップ
１５５  ごみ捨てライン
１５６，１５７  リブ
１６１  第二のフィルタ
１６２  ポケット
１６３  フィルタ枠
１６３ａ  係合部
１６４  除塵手段
１６６  補強部
１６８  清掃用ブラシ
１６８ａ  ブラシの柄
１６８ｂ  フック
１６９  ガイド
１７０  除塵ばね
１７２  弾性シール部
１７９  ハンドル
１８０  走行車輪
１８１  ガイドレール
１８２  連結機構収容部
１８５  連結機構
１８６  清掃枠
１８７  清掃部材
１８８  塵埃
２０１  第一リンク
２０２  第二リンク
２０３  第三リンク
２０４  第一支点
２０６  第二支点
２０７  第三支点
２０８  第四支点
２０９  連結機構支点
２１０，２１１，２１２，２１３，２１４，２１５  矢印
【図１】
2008272138.tif 000003
【図２】
2008272138.tif 000004
【図３】
2008272138.tif 000005
【図４】
2008272138.tif 000006
【図５】
2008272138.tif 000007
【図６】
2008272138.tif 000008
【図７】
2008272138.tif 000009
【図８】
2008272138.tif 000010
【図９】
2008272138.tif 000011
【図１０】
2008272138.tif 000012
【図１１】
2008272138.tif 000013
【図１２】
2008272138.tif 000014
【図１３】
2008272138.tif 000015
【図１４】
2008272138.tif 000016